(57)【要約】【課題】撮像装置のフレアとゴーストの発生を抑制する。【解決手段】撮像素子が搭載された基板と、前記基板に固定されたフレームと、シールガラスを備え、前記シールガラスと前記フレームはシール樹脂で接着されることで、前記撮像素子を封止した構造とされている撮像装置において、前記シール樹脂の硬化物の正反射率は、３％以下、拡散反射率は、３０％以下であることで、撮像装置のフレアとゴーストの発生を抑制することができる。【選択図】図２
2016139763.tif 000002
【特許請求の範囲】
【請求項１】
撮像素子が搭載された基板と、
前記基板に固定されたフレームと、
シールガラスと
を備え、
前記シールガラスと前記フレームはシール樹脂で接着されることで、前記撮像素子を封止した構造とされている
撮像装置。
【請求項２】
前記シール樹脂の硬化物の正反射率は、３％以下である
請求項１に記載の撮像装置。
【請求項３】
前記シール樹脂の硬化物の拡散反射率は、３０％以下である
請求項１に記載の撮像装置。
【請求項４】
前記シール樹脂の硬化物の拡散反射率は、１０％以下である
請求項１に記載の撮像装置。
【請求項５】
前記シール樹脂の硬化物の表面粗さは、０．５um以上である
請求項１に記載の撮像装置。
【請求項６】
前記シールガラスと前記フレームを接着する前記シール樹脂は、扁平状フィラーと粒子状フィラーを含む組成とされている
請求項１に記載の撮像装置。
【請求項７】
前記扁平状フィラーは、タルク(滑石)、マイカ(雲母)、窒化ホウ素(BN)のうちの１種類または複数の種類の組み合わせからなるフィラーである
請求項６に記載の撮像装置。
【請求項８】
前記扁平状フィラーの平均粒径は０．１乃至１００umである
請求項６に記載の撮像装置。
【請求項９】
前記扁平状フィラーの平均粒径は１乃至１０umである
請求項６に記載の撮像装置。
【請求項１０】
前記粒子状フィラーは、シリカ(SiO2)、アルミナ(Al2O3)、窒化アルミ(AlN)、酸化チタン(TiO2)、チタン酸バリウム(BaTiO3)、ジルコニア(ZrO2)、酸化亜鉛(ZnO)、ITO、酸化イットリウム(Y2O3)、酸化セリウム(CeO2)、酸化スズ(SnO2)、酸化銅(CuO) のうちの１種類または複数の種類の組み合わせからなるフィラーである
請求項６に記載の撮像装置。
【請求項１１】
前記粒子状フィラーの平均粒径は０．００１乃至１umである
請求項６に記載の撮像装置。
【請求項１２】
前記粒子状フィラーの平均粒径は０．０１乃至０．１umである
請求項６に記載の撮像装置。
【請求項１３】
前記シール樹脂は、熱硬化型樹脂である
請求項１に記載の撮像装置。
【請求項１４】
前記シール樹脂は、ＵＶ硬化型樹脂である
請求項１に記載の撮像装置。
【請求項１５】
前記シール樹脂は、着色剤を含む
請求項１に記載の撮像装置。
【請求項１６】
前記シール樹脂は、可視光を吸収する着色剤を含む
請求項１に記載の撮像装置。
【請求項１７】
前記シール樹脂は、前記着色剤としてカーボンブラックを含む
請求項１に記載の撮像装置。
【請求項１８】
前記フレーム上に、レンズを含むユニットをさらに備える
請求項１に記載の撮像装置。
【請求項１９】
撮像素子が搭載された基板と、
前記基板に固定されたフレームと、
シールガラスと
を備え、
前記シールガラスと前記フレームはシール樹脂で接着されることで、前記撮像素子を封止した構造とされている
撮像装置と、
前記撮像装置から出力される信号に対して信号処理を行う信号処理部と
を備える電子機器。
【発明の詳細な説明】
【技術分野】
【０００１】
本技術は、撮像装置、電子機器に関する。詳しくは、ゴーストやフレアなどの発生を抑制できる撮像装置、電子機器に関する。
【背景技術】
【０００２】
近年、デジタルビデオカメラやデジタルスチルカメラでは、被写体の細部まで映しだす高い解像力や携帯性を重視した機器の小型化が求められてきた。また撮像装置では、撮像特性を維持しつつ、画素サイズの小型化に向けた開発が行われてきた。
【０００３】
また近年、高解像度や小型化の継続的要求に加えて、最低被写体照度の向上や高速度撮像などへの要求が高まり、その実現のために、撮像装置にはＳＮ比をはじめとした総合的な画質向上への期待が高まっている。特許文献１では、受光面の画素境界に絶縁層を介して形成された遮光膜を形成することで、光学混色やフレアの低減により画質の向上を図ることが提案されている。
【０００４】
特許文献２では、基板と、前記基板に形成された固体撮像素子と、前記固体撮像素子の周縁部で前記基板上に形成されていて表面が黒色の金属系材料からなる枠部と、前記枠部上に形成されて前記枠部とともに前記固体撮像素子を封止する光透過性を有するシール板とを有することにより、固体撮像素子上に空間を有して光透過性を有する保護部材が接着される枠の高さを高くすることを可能とし、かつ枠側面の光反射を抑制することを可能とすることが提案されている。
【先行技術文献】
【特許文献】
【０００５】
【特許文献１】特開２０１０−１８６８１８号公報
【特許文献２】特開２００９−３０２１０２号公報
【発明の概要】
【発明が解決しようとする課題】
【０００６】
撮像装置において、フレアやゴーストが発生しないように抑制され、さらなる画質の向上が望まれている。中空構造を形成した撮像装置においては、中空内で迷光成分が発生し、フレアやゴーストが発生する可能性があった。特許文献１や特許文献２においては、このような迷光成分に対する対策についての提案はなされていない。
【０００７】
このような迷光成分が発生しないようにし、フレアやゴーストの発生が抑制されることが望まれている。
【０００８】
本技術は、このような状況に鑑みてなされたものであり、フレアやゴーストの発生を抑制し、画質を向上させることができるようにするものである。
【課題を解決するための手段】
【０００９】
本技術の一側面の撮像装置は、撮像素子が搭載された基板と、前記基板に固定されたフレームと、シールガラスとを備え、前記シールガラスと前記フレームはシール樹脂で接着されることで、前記撮像素子を封止した構造とされている。
【００１０】
前記シール樹脂の硬化物の正反射率は、３％以下であるようにすることができる。
【００１１】
前記シール樹脂の硬化物の拡散反射率は、３０％以下であるようにすることができる。
【００１２】
前記シール樹脂の硬化物の拡散反射率は、１０％以下であるようにすることができる。
【００１３】
前記シール樹脂の硬化物の表面粗さは、０．５um以上であるようにすることができる。
【００１４】
前記シールガラスと前記フレームを接着する前記シール樹脂は、扁平状フィラーと粒子状フィラーを含む組成とされているようにすることができる。
【００１５】
前記扁平状フィラーは、タルク(滑石)、マイカ(雲母)、窒化ホウ素(BN)のうちの１種類または複数の種類の組み合わせからなるフィラーであるようにすることができる。
【００１６】
前記扁平状フィラーの平均粒径は０．１乃至１００umであるようにすることができる。
【００１７】
前記扁平状フィラーの平均粒径は１乃至１０umであるようにすることができる。
【００１８】
前記粒子状フィラーは、シリカ(SiO2)、アルミナ(Al2O3)、窒化アルミ(AlN)、酸化チタン(TiO2)、チタン酸バリウム(BaTiO3)、ジルコニア(ZrO2)、酸化亜鉛(ZnO)、ITO、酸化イットリウム(Y2O3)、酸化セリウム(CeO2)、酸化スズ(SnO2)、酸化銅(CuO) のうちの１種類または複数の種類の組み合わせからなるフィラーであるようにすることができる。
【００１９】
前記粒子状フィラーの平均粒径は０．００１乃至１umであるようにすることができる。
【００２０】
前記粒子状フィラーの平均粒径は０．０１乃至０．１umであるようにすることができる。
【００２１】
前記シール樹脂は、熱硬化型樹脂であるようにすることができる。
【００２２】
前記シール樹脂は、ＵＶ硬化型樹脂であるようにすることができる。
【００２３】
前記シール樹脂は、着色剤を含むようにすることができる。
【００２４】
前記シール樹脂は、可視光を吸収する着色剤を含むようにすることができる。
【００２５】
前記シール樹脂は、前記着色剤としてカーボンブラックを含むようにすることができる。
【００２６】
前記フレーム上に、レンズを含むユニットをさらに備えるようにすることができる。
【００２７】
本技術の一側面の電子機器は、撮像素子が搭載された基板と、前記基板に固定されたフレームと、シールガラスとを備え、前記シールガラスと前記フレームはシール樹脂で接着されることで、前記撮像素子を封止した構造とされている撮像装置と、前記撮像装置から出力される信号に対して信号処理を行う信号処理部とを備える。
【００２８】
本技術の一側面の撮像装置においては、撮像素子が搭載された基板と、基板に固定されたフレームと、シールガラスとが備えられている。シールガラスとフレームはシール樹脂で接着されることで、撮像素子を封止した構造とされている。
【００２９】
本技術の一側面の電子機器においては、前記撮像装置を含む構成とされ、前記撮像装置からの信号が処理される。
【発明の効果】
【００３０】
本技術の一側面によれば、フレアやゴーストの発生を抑制し、画質を向上させることができる。
【００３１】
なお、ここに記載された効果は必ずしも限定されるものではなく、本開示中に記載されたいずれかの効果であってもよい。
【図面の簡単な説明】
【００３２】
【図１】撮像装置の構成を示す図である。
【図２】迷光成分について説明するための図である。
【図３】シール樹脂の組成について説明するための図である。
【図４】電子機器について説明するための図である。
【図５】使用例について説明するための図である。
【発明を実施するための形態】
【００３３】
以下に、本技術を実施するための形態（以下、実施の形態という）について説明する。なお、説明は、以下の順序で行う。
１．撮像装置の構成
２．迷光成分について
３．シール樹脂の組成について
４．電子機器の構成
５．撮像装置の使用例
【００３４】
＜撮像装置の構成＞
本技術は、撮像素子を備える撮像装置に適用できる。図１は、撮像装置の構成を示す断面図である。図１に示した撮像装置１０は、上部１１と下部１２から構成されている。ここでは、説明の都合上、上部１１と下部１２から撮像装置１０が構成されているとして説明を行う。
【００３５】
上部１１は、アクチュエータ２１、レンズバレル２２、レンズ２３から構成されている。下部１２は、基板３１、撮像素子３２、シールガラス３３、フレーム３４から構成されている。
【００３６】
レンズバレル２２の内側には、レンズ２３−１、レンズ２３−２、およびレンズ２３−３の３枚のレンズが組み込まれ、レンズバレル２２は、それらのレンズ２３−１乃至２３−３を保持する構成とされている。レンズバレル２２は、アクチュエータ２１に内包され、下部１２の上部に、アクチュエータ２１が装着される。なお、ここでは、レンズバレル２２に３枚のレンズが組み込まれている場合を例にあげて説明を続けるが、他の枚数、例えば、３枚以上のレンズが組み込まれていても良い。
【００３７】
例えば、レンズバレル２２の外側の側面にはネジ（不図示）が備えられ、アクチュエータ２１の内部の一部分には、このネジと螺合する位置にネジ（不図示）が備えられ、レンズバレル２２のネジとアクチュエータ２１内部のネジは、螺合するように構成されている。
【００３８】
レンズバレル２２が図中、上下方向に可動するように構成し、オートフォーカス（ＡＦ：Auto-Focus）が行えるように構成した場合、例えば、レンズバレル２２の側面（レンズバレル２２が装着されたレンズホルダ）に、コイルが設けられる。また、このコイルに対向する位置であり、アクチュエータ２１の内側には、マグネットが設けられる。マグネットには、ヨークが備えられ、コイル、マグネット、およびヨークでボイスコイルモータが構成される。
【００３９】
コイルに電流が流されると、図中上下方向に力が発生する。この発生された力で、レンズバレル２２が上方向または下方向に移動する。レンズバレル２２が移動することで、レンズバレル２２が保持しているレンズ２３−１乃至２３−３と、撮像素子３２の距離が変化する。このような仕組みにより、オートフォーカスを実現することができる。
【００４０】
なお、ここでは、上部１１には、アクチュエータ２１が含まれるとして説明を続けるが、アクチュエータ２１を含まない構成とすることも可能である。上部１１は、レンズユニットなどと称される部分である。
【００４１】
下部１２の中央部には、撮像素子３２が設けられている。撮像素子３２は、基板３１上に装着され、配線(不図示)で基板３１と接続されている。基板３１は、インターポーザ-などと称される部分である。基板３１の撮像素子３２が設けられている面上には、フレーム３４が装着される。このフレーム３４は、シールガラス３３を保持する機能を有する。またフレーム３４の基板３１と接している側と反対の側には、上部１１が設けられている。
【００４２】
基板３１、シールガラス３３、およびフレーム３４で囲まれる空間３５に、ゴミなどの異物が入り込まないように、基板３１、シールガラス３３、およびフレーム３４は、それぞれ隙間などがないように接着されている。空間３５は、基板３１、シールガラス３３、およびフレーム３４により、略密閉空間とされている。
【００４３】
このことにより、空間３５には、異物が挿入することがないように構成されている。シールガラス３３は、撮像素子３２を空間３５内に封止するためにも用いられている。シールガラス３３は、赤外線をカットする機能を有するＩＲＣＦ（Infra Red Cut Filter）であっても良い。
【００４４】
撮像装置１０の製造時に、フレーム３４は、基板３１上に、シール樹脂４１−１とシール樹脂４１−２で接合される。フレーム３４の基板３１と接する部分は、所定形状、例えば、四角形などの連続した形を有し、その連続した部分にシール樹脂４１が塗布される。よって、図１に示したように、シール樹脂４１−１とシール樹脂４１−２はそれぞれ別のシール樹脂のように断面図では表されるが、シール樹脂４１−１とシール樹脂４１−２は、１つの環状の接着層を形成するように形成され、フレーム３４の基板３１と接する部分に連続的に塗布されている。
【００４５】
同様に、フレーム３４と上部１１は、シール樹脂４２−１とシール樹脂４２−２により接合されている。
【００４６】
フレーム３４には、シールガラス３３が、シール樹脂４３−１とシール樹脂４３−２により接合されている。シール樹脂４３は、シールガラス３３をフレーム３４に接合するために塗布されている。
【００４７】
撮像装置１０は、このように、基板３１、シールガラス３３、およびフレーム３４で囲まれる空間３５を有する中空構造とされている。中空構造とされている場合、迷光成分が発生する可能性がある。この迷光成分について説明する。
【００４８】
なおここでは、中空構造を有する撮像装置１０を例にあげて説明するが、中空構造ではない撮像装置１０であっても、以下に説明する迷光成分が発生する可能性がある撮像装置であれば、以下に説明する本技術を適用することで、迷光成分の発生を抑制することができる。また、中空構造であるが、所定の物質が充填されているような撮像装置に対しても、以下に説明する本技術を適用することで、迷光成分の発生を抑制することができる。
【００４９】
＜迷光成分について＞
図２は、迷光成分について説明するための図であり、図１の撮像装置１０の下部１２の部分を図示した図である。図中の矢印は、光の進行方向を示している。
【００５０】
レンズ２３（図１）を介して下部１２に入射された光は、シールガラス３３を介して撮像素子３２に受光される。シールガラス３３を介して入射された光の内、撮像素子３２で反射されてしまう光がある。
【００５１】
撮像素子３２で反射された光のうち、一部の光は、図２に示すように、シール樹脂４３のフィレット７１−１と称される部分に当たり、さらに反射され、再度撮像素子３２側に入射する。図２では、フィレット７１−１で反射された光の経路を図示してあるが、フィレット７１―２側でも同様に、反射された光が、撮像素子３２に入射される可能性はある。
【００５２】
このように、撮像素子３２とフィレット７１で反射された光が、撮像素子３２に入射され、受光されてしまうと、フレアやゴーストが発生し、画質の低下につながる。よって、このような迷光成分を除去し、フレアやゴーストの発生を抑制するのが望まれる。
【００５３】
そこで、フィレット７１に光が当たったとしても、その光が反射されないようにする。ここでは、シール樹脂４３を構成する物質を以下に説明するような物質とすることで、フィレット７１での光の反射を低減させる。
【００５４】
＜シール樹脂の組成について＞
図３は、シール樹脂４３の物質について説明するための図である。図３に示した表においては、項目として、“シール樹脂”、“画質評価結果”、“シール樹脂組成および硬化特性”といった項目が設けられている。
【００５５】
また“画質評価結果”という項目には、“ゴースト”と“フレア”という項目が設けられている。本出願人は、シール樹脂４３の組成を変え、ゴーストとフレアについての評価を行い、その評価結果が、この欄に記載してある。
【００５６】
また“シール樹脂組成および硬化特性”という項目には、“レジン”、“扁平状フィラー”、“粒子状フィラー”、“着色剤”、“硬化後の表面の粗さ”、“正反射率”、“拡散反射率”の項目が設けられている。
【００５７】
さらに“扁平状フィラー”と“粒子状フィラー“という項目には、“種類”、“平均粒径”、“含有量”という項目がそれぞれ設けられている。
【００５８】
図３では、組成１、組成２、組成３、組成４の４つのシール樹脂４３を検討した結果を示している。組成１から順に参照する。
【００５９】
組成１の“シール樹脂”は、“熱硬化型”であり、“画質評価結果”の“ゴースト”は、“良好”であり、“フレア”は、“良好限界”である。すなわちシール樹脂４３を組成１で構成した場合、ゴーストとフレアの発生は共に軽減されることがわかる。そのような組成１は、以下のような組成である。
【００６０】
組成１に含まれる“レジン”は、“エポキシ”である。また組成１に含まれる“扁平状フィラー”は、“種類”が“タルク”であり、“平均粒径”が“0.1〜100um”であり、“含有量”が“1〜70wt%”である。組成１のシール樹脂４３は、扁平状フィラーだけでなく、粒子状フィラーも含む。組成１に含まれる“粒子状フィラー”は、“種類”が“シリカ”であり、“平均粒径”が“0.001〜1um”であり、“含有量”が“1〜70wt%”である。
【００６１】
組成１には“着色剤”は含まれていない。このような特性を有する扁平状フィラーと粒子状フィラーを含むシール樹脂４３の“硬化後の表面の粗さ”は、“0.5〜1.5um”である。なお、この“硬化後の表面の粗さ”は、“算術平均粗さ  Ra”である。
【００６２】
“正反射率”は、“0.1〜3.0%”であり、“拡散反射率”は、“10〜30%”である。なお、この“正反射率”は、“鏡面反射率”とも呼ばれるもので、アルミ基準ミラーの値を100%としたときの相対値の“380-780nm平均”であり、“拡散反射率”は、硫酸バリウム白板の値を100%としたときの相対値の“380-780nm平均”である。
【００６３】
組成２は、組成１と同一の組成であるが、“着色剤”として、“カーボンブラック”が含まれる点が異なる。シール樹脂４３に着色剤を含ませることで、“フレア”が“良好”になることがわかる。すなわち、組成２で、シール樹脂４３を構成すれば、“ゴースト”と“フレア“の両方とも低減できることがわかる。
【００６４】
カーボンブラックを着色剤としてシール樹脂４３に含ませることで、“拡散反射率”が、“1〜10%”に低減し、その為に、“フレア”の発生を抑制できるようになったと考えられる。
【００６５】
組成１と組成２に対する比較のために、組成３と組成４に対する評価も行った。組成３と組成４は、シール樹脂４３に扁平状フィラーは含むが、粒子状フィラーは含まない組成とされている。
【００６６】
組成３は、“ＵＶ硬化型”であり、“扁平状フィラー”として、組成１や組成２と同じく、“平均粒径”が“0.1〜１００um”の“タルク”を含み、“粒子状フィラー”が“無い”組成である。また“着色剤”を含まない組成である。この組成３でシール樹脂４３を構成した場合、“ゴースト”に対しては、“不良”であり、“フレア”に対して、“良好限界”であるとの結果が得られた。
【００６７】
組成４は、“熱硬化型”であり、“扁平状フィラー”として、組成１や組成２と同じく、“平均粒径”が“0.1〜１００um”の“タルク”を含み、“粒子状フィラー”が“無い”組成である。また“着色剤”として“カーボンブラック”を含む組成である。この組成４でシール樹脂４３を構成した場合、正反射率が大きくなったため、“ゴースト”と“フレア”に対しての評価は中止した。
【００６８】
このような結果から、シール樹脂４３を組成１や組成２のように、扁平状フィラーと粒子状フィラーを含む構成とすることで、ゴーストやフレアの発生を抑制できることがわかる。また、扁平状フィラーと粒子状フィラーとしては、図３に示したような粒径を有し、含有量であれば、ゴーストやフレアの発生を抑制できることがわかる。
【００６９】
また、正反射率が、0.1〜3.0（％）の範囲内（３％以下）に収まる扁平状フィラーと粒子状フィラーの組み合わせであれば、ゴーストやフレアの発生を抑制できることがわかる。また、拡散反射率が、1〜30（％）の範囲内（３０％以下）に収まる扁平状フィラーと粒子状フィラーの組み合わせであれば、ゴーストやフレアの発生を抑制できることがわかる。拡散反射率は、１０%以下であると、フレアの抑制も良好に行えるため、１０％以下になるような組成とされるのが望ましい。
【００７０】
シール樹脂４３に着色剤を含ませることで、ゴーストやフレアの発生をより抑制できることがわかる。
【００７１】
なお、図３に示したのは一例であり、限定を示すものではない。例えば、上記した例の他に、以下のようなフィラーを用いることも可能である。
【００７２】
扁平状フィラーは、タルク(滑石)、マイカ(雲母)、窒化ホウ素(BN)等でも良い。また、これらの扁平状フィラーのうちの１種類を用いても良いし、複数組み合わせて用いてもよい。また、用いられる扁平状フィラーの平均粒径は、０．１〜１００um程度のものが用いられ、望ましくは、１〜１０umの範囲内に収まるものが用いられる。
【００７３】
粒子状フィラーは、シリカ（SiO2）、アルミナ(Al2O3)、窒化アルミ(AlN)、酸化チタン(TiO2)、チタン酸バリウム(BaTiO3)、 ジルコニア(ZrO2)、酸化亜鉛(ZnO)、ITO、酸化イットリウム(Y2O3)、酸化セリウム(CeO2)、酸化スズ(SnO2)、酸化銅(CuO)等でも良い。また、これらの粒子状フィラーのうちの１種類を用いても良いし、複数組み合わせて用いてもよい。また、用いられる粒子状フィラーの平均粒径は０．００１〜１um程度の物が用いられ、望ましくは、 ０．０１〜０．１umの範囲内に収まるものが用いられる。
【００７４】
また、上記したシール樹脂４３の組成２では、着色剤としてカーボンブラックを例としてあげたが、他の着色剤でも良い。例えば、可視光を吸収する着色剤を成分として含むようにしても良い。
【００７５】
また、上記したシール樹脂４３の組成１と組成２では、熱硬化型樹脂を例に挙げて説明したが、ＵＶ硬化型樹脂であっても良い。また、上記したシール樹脂４３の組成１と組成２では、エポキシ樹脂のレジンを例にあげて説明したが、他のレジンであっても良い。
【００７６】
シール樹脂４３が硬化した後の表面が粗いと、正反射率が下がるため、表面の粗さ（Ra）が、０．５um以上となる扁平状フィラーと粒子状フィラーの組み合わせが用いられることで、上記したように、ゴーストやフレアを抑制することが可能となる。
【００７７】
なお、上記した実施の形態においては、シールガラス３３をフレーム３４と接着するシール樹脂４３を例にあげて説明したが、シール樹脂４１やシール樹脂４２も、シール樹脂４３と同一の組成による樹脂としても良い。
【００７８】
本技術によれば、上記したように、ゴーストやフレアの発生を抑制し、画質を向上させることが可能となる。
【００７９】
＜電子機器の構成＞
上記した撮像装置は、デジタルスチルカメラやビデオカメラ等の撮像装置や、携帯電話機などの撮像機能を有する携帯端末装置や、画像読取部に撮像装置を用いる複写機など、画像取込部（光電変換部）に撮像素子を用いる電子機器全般に対して適用可能である。
【００８０】
図４は、本技術に係る電子機器、例えば撮像装置の構成の一例を示すブロック図である。図４に示すように、本技術に係る撮像装置１００は、レンズ群１０１等を含む光学系、撮像素子（撮像デバイス）１０２、ＤＳＰ回路１０３、フレームメモリ１０４、表示装置１０５、記録装置１０６、操作系１０７および電源系１０８等を有する。そして、ＤＳＰ回路１０３、フレームメモリ１０４、表示装置１０５、記録装置１０６、操作系１０７および電源系１０８がバスライン１０９を介して相互に接続されている。
【００８１】
レンズ群１０１は、被写体からの入射光（像光）を取り込んで撮像素子１０２の撮像面上に結像する。撮像素子１０２は、レンズ群１０１によって撮像面上に結像された入射光の光量を画素単位で電気信号に変換して画素信号として出力する。
【００８２】
表示装置１０５は、液晶表示装置や有機ＥＬ（electro luminescence）表示装置等のパネル型表示装置からなり、撮像素子１０２で撮像された動画または静止画を表示する。記録装置１０６は、撮像素子１０２で撮像された動画または静止画を、ＤＶＤ（Digital Versatile Disk）、ＨＤＤ（Hard disk drive）等の記録媒体に記録する。
【００８３】
操作系１０７は、ユーザによる操作の下に、本撮像装置が持つ様々な機能について操作指令を発する。電源系１０８は、ＤＳＰ回路１０３、フレームメモリ１０４、表示装置１０５、記録装置１０６および操作系１０７の動作電源となる各種の電源を、これら供給対象に対して適宜供給する。
【００８４】
上記の構成の撮像装置は、ビデオカメラやデジタルスチルカメラ、さらには携帯電話機等のモバイル機器向けカメラモジュールなどの撮像装置として用いることができる。そして、当該撮像装置において、撮像素子１０２として、上述した撮像装置を用いることができる。
【００８５】
＜撮像素子の使用例＞
【００８６】
図５は、上述の撮像装置や撮像装置を含む電子機器を使用する使用例を示す図である。
【００８７】
上述した撮像素子は、例えば、以下のように、可視光や、赤外光、紫外光、Ｘ線等の光をセンシングする様々なケースに使用することができる。
【００８８】
・ディジタルカメラや、カメラ機能付きの携帯機器等の、鑑賞の用に供される画像を撮影する装置
・自動停止等の安全運転や、運転者の状態の認識等のために、自動車の前方や後方、周囲、車内等を撮影する車載用センサ、走行車両や道路を監視する監視カメラ、車両間等の測距を行う測距センサ等の、交通の用に供される装置
・ユーザのジェスチャを撮影して、そのジェスチャに従った機器操作を行うために、TVや、冷蔵庫、エアーコンディショナ等の家電に供される装置
・内視鏡や、赤外光の受光による血管撮影を行う装置等の、医療やヘルスケアの用に供される装置
・防犯用途の監視カメラや、人物認証用途のカメラ等の、セキュリティの用に供される装置
・肌を撮影する肌測定器や、頭皮を撮影するマイクロスコープ等の、美容の用に供される装置
・スポーツ用途等向けのアクションカメラやウェアラブルカメラ等の、スポーツの用に供される装置
・畑や作物の状態を監視するためのカメラ等の、農業の用に供される装置
【００８９】
なお、本明細書に記載された効果はあくまで例示であって限定されるものでは無く、また他の効果があってもよい。
【００９０】
なお、本技術の実施の形態は、上述した実施の形態に限定されるものではなく、本技術の要旨を逸脱しない範囲において種々の変更が可能である。
【００９１】
なお、本技術は以下のような構成も取ることができる。
【００９２】
（１）
撮像素子が搭載された基板と、
前記基板に固定されたフレームと、
シールガラスと
を備え、
前記シールガラスと前記フレームはシール樹脂で接着されることで、前記撮像素子を封止した構造とされている
撮像装置。
（２）
前記シール樹脂の硬化物の正反射率は、３％以下である
前記（１)に記載の撮像装置。
（３）
前記シール樹脂の硬化物の拡散反射率は、３０％以下である
前記（１)または（２）に記載の撮像装置。
（４）
前記シール樹脂の硬化物の拡散反射率は、１０％以下である
前記（１)または（２）に記載の撮像装置。
（５）
前記シール樹脂の硬化物の表面粗さは、０．５um以上である
前記（１)乃至（４）のいずれかに記載の撮像装置。
（６）
前記シールガラスと前記フレームを接着する前記シール樹脂は、扁平状フィラーと粒子状フィラーを含む組成とされている
前記（１)乃至（５）のいずれかに記載の撮像装置。
（７）
前記扁平状フィラーは、タルク(滑石)、マイカ(雲母)、窒化ホウ素(BN)のうちの１種類または複数の種類の組み合わせからなるフィラーである
前記（６)に記載の撮像装置。
（８）
前記扁平状フィラーの平均粒径は０．１乃至１００umである
前記（６)または（７）に記載の撮像装置。
（９）
前記扁平状フィラーの平均粒径は１乃至１０umである
前記（６)または（７）に記載の撮像装置。
（１０）
前記粒子状フィラーは、シリカ(SiO2)、アルミナ(Al2O3)、窒化アルミ(AlN)、酸化チタン(TiO2)、チタン酸バリウム(BaTiO3)、ジルコニア(ZrO2)、酸化亜鉛(ZnO)、ITO、酸化イットリウム(Y2O3)、酸化セリウム(CeO2)、酸化スズ(SnO2)、酸化銅(CuO) のうちの１種類または複数の種類の組み合わせからなるフィラーである
前記（６)乃至（９）のいずれかに記載の撮像装置。
（１１）
前記粒子状フィラーの平均粒径は０．００１乃至１umである
前記（６）乃至（１０）のいずれかに記載の撮像装置。
（１２）
前記粒子状フィラーの平均粒径は０．０１乃至０．１umである
前記（６)乃至（１０）のいずれかに記載の撮像装置。
（１３）
前記シール樹脂は、熱硬化型樹脂である
前記（１)乃至（１２）のいずれかに記載の撮像装置。
（１４）
前記シール樹脂は、ＵＶ硬化型樹脂である
前記（１) 乃至（１２）のいずれかに記載の撮像装置。
（１５）
前記シール樹脂は、着色剤を含む
前記（１) 乃至（１４）のいずれかに記載の撮像装置。
（１６）
前記シール樹脂は、可視光を吸収する着色剤を含む
前記（１) 乃至（１４）のいずれかに記載の撮像装置。
（１７）
前記シール樹脂は、前記着色剤としてカーボンブラックを含む
前記（１) 乃至（１４）のいずれかに記載の撮像装置。
（１８）
前記フレーム上に、レンズを含むユニットをさらに備える
前記（１) 乃至（１７）のいずれかに記載の撮像装置。
（１９）
撮像素子が搭載された基板と、
前記基板に固定されたフレームと、
シールガラスと
を備え、
前記シールガラスと前記フレームはシール樹脂で接着されることで、前記撮像素子を封止した構造とされている
撮像装置と、
前記撮像装置から出力される信号に対して信号処理を行う信号処理部と
を備える電子機器。
【符号の説明】
【００９３】
１１  上部，  １２  下部，  ３１  基板，  ３２  撮像素子，  ３３  シールガラス，  ３４  フレーム，  ４１，４２，４３  シール樹脂，  ７１  フィレット
【図１】
2016139763.tif 000003
【図２】
2016139763.tif 000004
【図３】
2016139763.tif 000005
【図４】
2016139763.tif 000006
【図５】
2016139763.tif 000007